(57)【要約】【課題】複数の人が対面に畳に腰掛けることのできる畳コーナーユニットを提供する。【解決手段】畳コーナーユニットは、収納箱３の上面に畳を有する収納ユニット１を複数個組合せてなる畳コーナーユニットにおいて、内角の少なくとも一つが２７０度となる６辺以上の凹多辺形状に前記収納ユニットを組合せてなる。さらに、この畳の周辺を直線框５と入隅框６で固定することで、構造を安定する。畳コーナーユニットは、４個の収納ユニット１ａ〜ｄをＬ字状に組合せてフローリング床１６の上に設置する。【選択図】　図１
2004057250.tif 000002
【特許請求の範囲】
【請求項１】
収納箱の上面に畳を有する収納ユニットを複数個組合せてなる畳コーナーユニットにおいて、内角の少なくとも一つが２７０度となる６辺以上の凹多辺形状に前記収納ユニットを組合せてなることを特徴とする畳コーナーユニット。
【請求項２】
前記収納箱の上部外縁に各収納ユニットをまたがって各収納ユニットを連結する直線框を有することを特徴とする請求項１記載の畳コーナーユニット。
【請求項３】
一直線上にない二個の直線框の中心線の交点部分に配置されて、前記直線框の両端面と結合する入隅框を設け、内角が２７０度となる箇所で接する２個の直線框を前記入隅框で連結してなることを特徴とする請求項１又は請求項２記載の畳コーナーユニット。
【請求項４】
前記入隅框およびこれと結合する直線框にダボ孔を穿ち、両者をダボ孔に挿入したダボによって結合してなることを特徴とする請求項３記載の畳コーナーユニット。
【請求項５】
前記入隅框は、畳に接する側の角部に面取りを施してなることを特徴とする請求項３又は請求項４記載の畳コーナーユニット。
【発明の詳細な説明】
【０００１】
【発明の属する技術分野】
本発明は、畳コーナーユニットに関し、詳しくは洋室の一区画に和室空間を簡易に設置することができる畳コーナーユニットに関するものである。
【０００２】
【従来の技術】
畳コーナーユニットは、フローリングの床面を有する洋室に、収納スペースと和室空間を兼ねた空間を提供するもので、例えば、実開昭６４−１５３５に開示されるものがある。この畳コーナーユニットを構成する収納ユニット１は、図６に示すように、収納箱３の上面に畳２を設けたものである。そして、畳コーナーユニットは、図７に示すように、この収納ユニット１を複数個組合せてフローリングの床面上に設置したものである。したがって、この畳コーナーユニットは、全体としては洋室でありながら、畳に腰掛けたり、座ることができ、洋室と和室の利点を備える空間を提供することができる。
【０００３】
一方、本願出願人は、特願２００２−０２８３６５において、収納ユニットの収納箱の上部外縁に各収納ユニットをまたがって各収納ユニットを連結する直線框を取付けることにより、構造が安定し、畳面の段差を少なくすることのできる畳コーナーユニットを提案している。
【０００４】
【発明が解決しようとする課題】
ところで、前述した畳コーナーユニットは、いずれも、その平面形状が略長方形であるため、畳に腰掛けた状態で、複数の人が対面するような状態にはなりにくいものである。すなわち、例えば、二人が腰掛けて対面するような状態にしようとすると、各人がその身体あるいは顔を９０度程度ねじるような姿勢にすることが必要である。このような姿勢を長時間維持すると、身体に好ましいものではなく、また、対面するような状態でないと、より快適な団欒という面では十分とは言えない。
【０００５】
本発明は、かかる事由に鑑みてなしたもので、その目的とするところは、複数の人が畳に腰掛けた状態でも、より快適なものにすることができる畳コーナーユニットを提供することにある。
【０００６】
【課題を解決するための手段】
請求項１に係る発明の畳コーナーユニットは、収納箱の上面に畳を有する収納ユニットを複数個組合せてなるものにおいて、内角の少なくとも一つが２７０度となる６辺以上の凹多辺形状に前記収納ユニットを組合せてなることを特徴としている。
【０００７】
請求項２に係る発明の畳コーナーユニットは、請求項１の構成において、収納箱の上部外縁に各収納ユニットをまたがって各収納ユニットを連結する直線框を有することを特徴としている。
【０００８】
請求項３に係る発明の畳コーナーユニットは、請求項１又は請求項２の構成において、一直線上にない二個の直線框の中心線の交点部分に配置されて、直線框の両端面と結合する入隅框を設け、内角が２７０度となる箇所で接する２個の直線框を入隅框で連結してなることを特徴としている。
【０００９】
請求項４に係る発明の畳コーナーユニットは、請求項３の構成において、入隅框およびこれに接する直線框にダボ孔を穿ち、両者をダボ孔に挿入したダボによって結合してなることを特徴としている。
【００１０】
請求項５係る発明の畳コーナーユニットは、請求項３又は請求項４の構成において、入隅框は、畳に接する側の角部に面取りを施してなることを特徴としている。
【００１１】
【発明の実施の形態】
（実施形態１）
実施形態１に係る畳コーナーユニットを、図１及び図２に基づいて説明する。図１は畳コーナーユニットの斜視図、図２は入隅框で、（ａ）は平面図、（ｂ）は（ａ）のＸ−Ｘで切断した断面図である。この畳コーナーユニットは、４個の収納ユニット１ａ、１ｂ、１ｃ、１ｄを組合せて、Ｌ字状に配置したものである。
【００１２】
各収納ユニット１ａ〜ｄは、実質的には、図６に示したものと同様のものであり、高さが約４０ｃｍ程度、縦横の長さが各８０ｃｍ程度の収納箱３、３、…と、収納箱３の上面に配設された半畳サイズの畳２、２、…からなっている。このものでは、収納ユニット１ａの収納箱３のみが、手前に引くことによって出し入れが可能な引出し４を有する構造となっている。なお、すべての収納箱３、３、…が畳２、２、…を上部に上げることによって出し入れできる構造であってもよい。
【００１３】
前述したように、畳コーナーユニットは、４個の収納ユニット１ａ〜ｄをＬ字状に組合せてフローリング床１６の上に設置する。その手順の概要は、まず、３個の収納ユニット１ｂ、１ｃ、１ｄを壁１５に接して直線状に配置する。次に、収納ユニット１ａを収納ユニット１ｂと隣接して、収納ユニット１ｂ〜ｄの中心線と直交するように配置する。これらの収納ユニット１ａ〜ｄの組合せにより、本実施形態の畳コーナーユニットの形状は、内角の一つが２７０度（収納ユニット１ａ、１ｂ、１ｃが接する箇所）の凹六辺形となる。
【００１４】
次に、畳コーナーユニットの周辺に取付けることにより、各収納ユニットを連結する框について説明する。框は、畳の周辺に配置されるものであり、直線框５ａ、５ｂ、５ｆと入隅框６とよりなる。直線框５ａ、５ｂ、５ｆは、直線の板形状をしている。入隅框６は、畳コーナーユニットの２７０度の内角の箇所に取付けて、直線框５ａと５ｂを連結する。さらに詳しくは、入隅框６は、図２（ａ）、（ｂ）に示すように、平面形状はＬ字状であり、最大長さは約１０ｃｍ、幅は約５ｃｍとしている。また、図２（ａ）におけるＸ−Ｘ断面は逆Ｌ字状であり、化粧側板７の凸部と嵌合する凹部１０を切削により設けている。なお、入隅框の最大厚さは、約６ｃｍとしている。さらに、両側端面の上下に各２箇所ずつ、合計４箇所に、直径１ｃｍ、深さ２ｃｍ程度のダボ孔１１ａ、１１ｂ、１１ｃ、１１ｄが穿たれている。
【００１５】
以下に、直線框５ａ、５ｂ、５ｆと入隅框６を取付ける手順について説明する。まず、図１に示すように、収納ユニット１ａ、１ｃ、１ｄの収納箱３の側面に接して、上部に凸部を有する化粧側板７ａ、７ｂを配置する。次に、内角が２７０度の箇所に入隅框６を配置し、図２（ｂ）に示すように、この入隅框の凹部を、化粧側板７の凸部と嵌合する。この状態で、収納箱の側板８、化粧側板７と入隅框６とをネジ１３で固定する。次に、ダボ孔１１ａ、１１ｂにダボ１２ａ、１２ｂを挿入し、直線框５ａのダボ孔にこのダボ１２ａ、１２ｂを挿入することで、入隅框６と直線框５ａとを結合する。さらに、直線框５ａ、化粧側板７ａと収納箱の側板８とをネジで固定する。この後、入隅框６の他方のダボ孔１１ｃ、１１ｄにも、ダボ１２ｃ、１２ｄを挿入し、前記と同様に、これらのダボを介して直線框５ｂを取付ける。これらの作業によって、収納ユニット１ａ、１ｃ、１ｄを連結することができる。さらに、収納ユニット１ａと１ｂの（直線框５ａと反対側の）側面に直線框５ｆを取付けることで、収納ユニット１ａと１ｂが連結される。以上の一連の手順によって、収納ユニット１ａ〜ｄが連結される。
【００１６】
この畳コーナーユニットは、例えば２人が収納ユニット１ａと１ｃの畳に腰掛けることによって、従来の略長方形の畳コーナーユニットの畳に腰掛けるよりも、より容易に対面することができる。具体的には、収納ユニット１ａ、１ｃに腰掛けたときに、各人が身体を３０〜４５度程度だけねじることで、対面することが可能となる。
【００１７】
また、畳コーナーユニットの周囲を、直線框と入隅框で固定することにより、畳コーナーユニット全体がより強く固定され、床面に多少の段差があっても、畳面の段差を少なくすことができる。
【００１８】
入隅框６は、図３に示すように変形させることができる。すなわち、この入隅框６は、畳に接する側の角部分に５ｍｍ程度の面取りを施している。この面取りは、化粧側板の凸部と嵌合する凹部１０に影響を与えないと程度とする。この面取りにより、畳２と入隅框６とが直接に接することがなくなり、畳の角部を傷つけることが少なくなる。
【００１９】
入隅框６は、さらに、図４（ａ）、（ｂ）に示すように変形させることができる。すなわち、この入隅框６は、その平面形状を、一辺１０ｃｍの正方形としている。また、図４（ａ）における断面Ｘ−Ｘは、Ｔ字状をしていて、化粧側板７の凸部と嵌合する凹部１０がある。なお、この入隅框は、一つの木塊から切り出すことによって製造することもできるが、上部の正方形部分６１と下部の出っ張り部分６２とを別々に作った後、両者をネジ等で固定することで一体化することでも製造可能である。このものも、前述したものと同形状のダボ孔１１ａ、１１ｂ、１１ｃ、１１ｄが両側の端面（直線框と接する面）の左右に穿たれている。これらのダボ孔にダボ１２ａ、１２ｂ、１２ｃ、１２ｄを挿入することにより、直線框５ａ、５ｂと結合される。このものは、前述した平面形状がＬ字状のものと比較すると、幅の広い直線框を結合するのに適している。
【００２０】
また、この入隅框も、畳に接する側の角部分の面取りをすることにより、畳と入隅框とが直接に接することがなくなり、畳の角部を傷をつけにくくなる。
【００２１】
（実施形態２）
実施形態２に係る畳コーナーユニットを図５に基づいて説明する。この畳コーナーユニットは、５個の収納ユニット１ｅ、１ｆ、１ｇ、１ｈ、１ｉをコ字状に配置したものである。この畳コーナーユニットにおいて、収納ユニット、直線框、入隅框の形状は実施形態１と同じである。また、収納ユニット１ｅ〜ｉの組合せ手順と、直線框・入隅框の連結の手順は、実施形態１とほぼ同じである。したがって、ここでは、異なる手順を中心に説明する。
【００２２】
まず、図５のように、収納ユニット１ｅ〜ｉをフローリング床１６の上にコ字状に組合せて配置する。ここで、本実施形態の畳コーナーユニットの形状は、内角の二つが２７０度となる凹八辺形となる。
【００２３】
次に、収納ユニット１ｅ、１ｇ、１ｉの収納箱の内側の側面に接して、上部に凸部を有する化粧側板７ｃ、７ｄ、７ｅをそれぞれ配置する。さらに、実施形態１と同様に、収納ユニット１ｅと１ｇの入隅部で入隅框６ａを、化粧側板７ｃと７ｄと嵌合した後、これらを収納箱の側板とあわせてネジで固定する。さらに、同様にして、ダボによって直線框５ｃ、５ｄを入隅框６ａと結合し、こられの直線框を前記化粧側板および収納箱側板とネジで固定する。次いで、もう一つの入隅框６ｂを、収納ユニット１ｇと１ｉの入隅部で、化粧側板７ｄ、７ｅと嵌合するとともに、直線框５ｄとダボによって結合する。さらに、これらをネジで収納箱の側板に固定する。この後、直線框５ｄと９０度回転した側に、直線框５ｅを入隅框６ｂにダボで結合するとともに、前記直線框５ｅをネジで側板に固定する。一方、収納ユニット１ｅと１ｆに直線框５ｇを、収納ユニット１ｈと１ｉに直線框５ｈを取付けることで、これらの収納ユニットを連結する。以上の一連の手順によって、収納ユニット１ｅ〜ｉが連結される。
【００２４】
本実施形態の畳コーナーユニットは、例えば２人が収納ユニット１ｅ、１ｉの畳に、対面した状態で腰掛けることができる。つまり、身体をねじることなく、対面することができる。
【００２５】
また、実施形態１と同様に、畳コーナーユニットは、周囲に取付けられた直線框とこれに結合された入隅框によって固定される。このために、床面に多少の高低差が存在していても、畳面の段差を少なくすことができる。
【００２６】
以上、実施形態を説明したが、さらに種々の変形が可能である。
【００２７】
第一の例として、畳コーナーユニットの周囲の框（直線框と入隅框）を省略することが可能である。この場合、床面が平面で段差がなければ、畳面にも段差はほとんどできない。また、床面に段差が存在しても、収納ユニットを連結する他の対策（例えば、収納箱の側板どうしをネジで固定する）を実施すれば、畳面の段差を少なくすることは可能である。
【００２８】
第二の例として、２個の直線框を連結する入隅框のみを省略することができる。この場合、内角が２７０度となる箇所でのみ接する収納ユニットを直接に連結するものがなくなるので、畳コーナーユニット全体の結合が弱くなる。このことは、直交する２個の直線框を接着剤や鎹で固定することで防ぐことは可能である。
【００２９】
第三の例として、直線框と入隅框を結合するダボ孔とダボを省略することができる。この場合も、第二の例と同様に畳コーナーユニット全体の結合が弱くなるが、直線框と入隅框とを接着剤や鎹で固定することで防ぐことは可能である。
【００３０】
また、本実施例では、畳コーナーユニットの形状はＬ字状とコ字状とを記載したが、他の形状の例として、収納ユニットをＴ字状、Ｅ字状やさらに複雑な櫛形状に組合せて畳コーナーユニットとすることも可能である。この場合、他人数の人々が対面して、畳に腰掛けることが可能となる。
【００３１】
【発明の効果】
請求項１に係る発明の畳コーナーユニットでは、収納ユニットが凹多辺形状に組合せてなるので、複数の人がより容易に対面した状態で畳に腰掛けることができ、複数の人が畳に腰掛けた状態を、より快適なものにすることができる。
【００３２】
請求項２に係る発明では、請求項１の効果に加え、畳コーナーユニットを構成する収納ユニットの上部外縁に各収納箱をまたがって各収納部を連結する直線框を取付けることにより、畳コーナーユニット全体を固定し、床面に多少の段差があっても、畳面の段差が少なくなる。
【００３３】
請求項３に係る発明では、請求項１又は２の効果に加え、内角が２７０度となる箇所の入隅部に取付けた入隅框を介し、この入隅框に接して隣合う直線框を結合することにより、収納ユニットの固定をより強化することができる。
【００３４】
請求項４に係る発明では、請求項３の効果に加え、入隅框およびこれに接する直線框にダボ孔を穿ち、両者をダボ孔に挿入したダボによって結合することにより、入隅框と直線框を容易に固定・取外しができる。
【００３５】
請求項５に係る発明では、請求項３又は４の効果に加え、入隅框の角部の内側の面取りがなされているので、畳と入隅框とが直接に接することがなくなり、畳の角部を傷つけることが少なくなる。
【００３６】
【図面の簡単な説明】
【図１】実施形態１の畳コーナーユニットを示す斜視図である。
【図２】同上のＬ字状をなす入隅框で、（ａ）は平面図、（ｂ）は（ａ）のＸ−Ｘで切断した断面図である。
【図３】同上の面取りを施した入隅框の平面図である。
【図４】同上の正方形状をなす入隅框で、（ａ）は平面図、（ｂ）は（ａ）のＸ−Ｘで切断した断面図である。
【図５】実施形態２の畳コーナーユニットを示す斜視図である。
【図６】収納ユニットを示す斜視図である。
【図７】従来の畳コーナーユニットを示す斜視図である。
【符号の説明】
１ａ、１ｂ、１ｃ、１ｄ、１ｅ、１ｆ、１ｇ、１ｈ、１ｉ　　　収納ユニット
２　　　　畳
３　　　　収納箱
４　　　　引き出し
５ａ、５ｂ、５ｃ、５ｄ、５ｅ、５ｆ、５ｇ、５ｈ　　　直線框
６、６ａ、６ｂ　　　　入隅框
７、７ａ、７ｂ、７ｃ、７ｄ　　　　化粧側板
８　　　　収納箱の側板
９　　　　収納箱の上板
１０　　　　入隅框の凹部
１１ａ、１１ｂ、１１ｃ、１１ｄ　　　　ダボ孔
１２ａ、１２ｂ、１２ｃ、１２ｄ　　　　ダボ
１３　　　　ネジ
１５　　　　壁
１６　　　　フローリング床
【図１】
2004057250.tif 000003
【図２】
2004057250.tif 000004
【図３】
2004057250.tif 000005
【図４】
2004057250.tif 000006
【図５】
2004057250.tif 000007
【図６】
2004057250.tif 000008
【図７】
2004057250.tif 000009